(57)【要約】　　　（修正有）【課題】織布や不織布を用いて作られたマスク本体の左右の側端辺の夫々に、耳掛紐を取付けたタイプのものに就いて、顔面へのマスク本体の密着性をより向上させた衛生マスクを提供する。【解決手段】織布や不織布を用いて作られ、口及び鼻孔を覆うに足る大きさと形状を備えたマスク本体１の、所定の縦幅を有する左右の側端辺１ａの夫々に、耳掛紐２を取付けたものに於いて、マスク本体の横幅を、マスクの着用状態で、左右の側端辺の夫々が耳の近傍乃至は直近に迄達する長さに設定したことを特徴とする。そして、マスクの着用状態で、マスク本体の上縁部を膨出している鼻の表面に密着させる為に、塑性変形性を有する合成樹脂に繊維質材を包埋させた帯板状の形状保持部材４を、前記上縁部に取付けたことも特徴とする。【選択図】図１
0003100600.tif 000002
【実用新案登録請求の範囲】
【請求項１】
　織布や不織布を用いて作られ、口及び鼻孔を覆うに足る大きさと形状を備えたマスク本体の、所定の縦幅を有する左右の側端辺の夫々に、耳掛紐を取付けたものに於いて、
　マスク本体の横幅を、マスクの着用状態で、左右の側端辺の夫々が、耳の近傍乃至は直近位置に迄達する長さに設定したことを特徴とする衛生マスク。
【請求項２】
　マスクの着用状態で、マスク本体の上縁部を、顔面から膨出している鼻の表面に密着させる為に、塑性変形性を有する合成樹脂に繊維質材を包埋させた帯板状の形状保持部材を、前記上縁部に取付けたことを特徴とする請求項１記載の衛生マスク。
【考案の詳細な説明】
【技術分野】
【０００１】
　本考案は、その着用状態で、口及び鼻孔を覆うマスク本体の周縁部と顔との間に、極力隙間が生じない様に改良した衛生マスクに関する。
【背景技術】
【０００２】
　図３及び図４は、従来の代表的な構造の衛生マスクＢ１を、その内側から見た斜視図及び着用状態を示す側面図である。
　衛生マスクＢ１は、ガーゼ（織布）と不織布とを重ね合わせて作られ、口及び鼻孔を覆うに足る大きさと形状を備えたマスク本体５１の、左右の側端辺５１ａの夫々に設けた紐通し部５３に、輪ゴム状の耳掛紐５２を挿通させた構成を備えている。
【０００３】
　マスク本体５１には、その上縁側の真中部分を襞状に摘んで、摘み個所５４を設けることによって、顔面の立体形状に極力添わせられる様にしている。
【０００４】
　そして、マスク本体５１の横幅寸法を、図４に示したマスクの着用状態で、左右の側端辺５１ａの夫々が、口元（口の両端）と耳との間の、ほぼ中間個所に達する程度に留めている。
【０００５】
　これは、マスク本体５１の材料費と、顔面へのマスクの密着性との兼ね合いに於いて、この程度の幅寸法に留めるのが妥当だと判断した為と思われる。　
　或いは、顔面への密着性の確保に就いて、さほど厳密に考えていなかった為とも思われる。　
【０００６】
　図５は、在来の別のタイプの衛生マスクＢ２の、着用状態を示した側面図である。
　この衛生マスクＢ２は、マスク本体６１の左右の側端部分を三角片状に形成して、その尖った突端に、ゴム輪状の耳掛紐６２を連結させている。
　このタイプの衛生マスクＢ２は、有害な粉塵が発生する各種の事業所等で多く使われており、着用すると、図示の様にマスク本体６１の左右の突端が耳の近傍に迄達する。
【０００７】
　この衛生マスクＢ２は、図３に示した従来の衛生マスクＢ１と対比すれば容易に理解出来る様に、耳掛紐６２の取付作業の手間をかなり省ける点で、少なからぬメリットがある。　
【０００８】
　然し、その反面、マスク本体を位置決めし、顔に圧接させるという、耳掛紐に
求められる肝心の機能に関しては、耳掛紐６２を、マスク本体６１の尖った側端に１点支持状態で連結させた衛生マスクＢ２は、図３に示した様に、耳掛紐５２を、マスク本体５１の側端辺５１ａの上下両端で２点支持させた衛生マスクＢ１に比べて劣る、という難点があった。
【０００９】
【特許文献１】特開２００３−７４２：衛生マスクの製法　　　　（出願人：株式会社　白鳩）
【考案の開示】
【考案が解決しようとする課題】
【００１０】
　昨今の様に、吸入感染性でより悪質な新種のウイルスが次々に発見されたり、季節が巡る毎に多くの人々が花粉症に苦しめられている現状を考えれば、或いは、各種の生産施設や廃棄物処理施設等で、有害な粉塵に曝さらされている人々の健康管理を考えれば、これ等の問題の最も手軽で有力な解決手段となる衛生マスクに就いて、粉塵やウイルスの吸入阻止機能をより高めて行く必要性がある。
【００１１】
　そこで、本考案の目的は、織布や不織布を用いて作られたマスク本体の、左右の側端辺の夫々に、耳掛紐を取付けたものに於いて、顔面へのマスク本体の密着性をより向上させた衛生マスクを提供するにある。
【課題を解決するための手段】
【００１２】
　上記の目的を達成する為の、本考案による衛生マスクは、
　織布や不織布を用いて作られ、口及び鼻孔を覆うに足る大きさと形状を備えたマスク本体の、所定の縦幅寸法を有する左右の側端辺の夫々に、耳掛紐を取付けたものに於いて、
　マスク本体の横幅を、マスクの着用状態で、左右の側端辺の夫々が、耳の近傍乃至は直近位置に迄達する長さに設定したことを特徴とする。
　そして、マスクの着用状態で、マスク本体の上縁部を、顔面から膨出している鼻の表面に密着させる為に、塑性変形性を有する合成樹脂に繊維質材を包埋させた帯板状の形状保持部材を、前記上縁部に取付けたことも特徴とする。
【考案の効果】
【００１３】
　上記の構成を備えた本考案による衛生マスクは、既存の同種品に比べて、以下に列挙した如き実用上のより優れた機能を備えている。
　（ａ）マスク本体の横幅方向の長さを、その両側端辺が耳の近傍に迄達する寸法にしたことによって、隙間を生じさせ勝ちな耳掛紐の取付個所の悪影響を排除出来、粉塵ヤウイルス等の吸入阻止機を顕著に高められる。
　（ｂ）塑性変形性を有する合成樹脂及び繊維質材を用いて作られた、帯板状の形状保持部材を、上縁部に取付けたことによって、膨出した鼻の部分にも良好に密着させられる。
　（ｃ）又、マスクを着用する都度、その上縁部を鼻の部分にも密着させるという難しい筈の操作も、至極、簡単・確実に行える。
　（ｅ）マスク本体の横幅を増すことによって、冬期に顔面を防寒するという、マスクの別の機能も目立って高められ。
【考案を実施するための最良の形態】
【００１４】
　以下に、本考案の一実施例に就いて、図１及び図２を参照しながら説明する。　図１は、この実施例の衛生マスクＡの斜視図、図２は、その着用状態を示した側面図である。
【００１５】
　衛生マスクＡは、図１に示した様に、口及び鼻孔を覆うに足る大きさと形状を備え、複数枚の織布（ガーゼ等）と不織布とを重ね合わせたマスク本体１の、左右の側端辺１ａの夫々に、ゴム輪状の耳掛紐２を、図示の様に挿通させる為の紐通し部３を設けている。
【００１６】
　図１中に符号Ｌを付して示した、マスク本体１の横幅寸法は、図２に示した様に、マスクの着用状態で、その両側端辺１ａ，１ａの夫々が、口元（口の左右両端）からかなり離れた、耳の近傍乃至は直近に迄達する長さに設定している。
　マスク本体１の縦幅寸法に関しては、既存品と比べて格別に異なるところは無い。　
【００１７】
　左右の側端辺１ａの縦幅寸法は、マスク本体１の中央部の縦幅寸法に比べて、図示の様に幾分短くしている。
　又、環状の耳掛紐２が、紐通し部３の外に出ている部分の長さ寸法は、側端辺１ａよりも若干長くする程度に留めている。
【００１８】
　マスク本体１の上縁部には、マスクの着用状態で、顔面から膨出している鼻の表面に密着させる為に、塑性変形性を備えた帯板状の形状保持部材４を取付けている。
　塑性変形性とは、物体を任意の形状に屈曲させた後に、屈曲力を解除しても、この強制変形の状態を維持し続ける性質のことである。
【００１９】
　この実施例では、形状保持部材４として、塑性変形性を有する合成樹脂に、補強用の繊維質材を包埋させたものを用いている。
　そして、帯板状に形成された形状保持部材４は、マスク本体の上縁中央部の内側面に、布製のカバー片５を用いて綴じ込んでいる。
【００２０】
　次に、この実施例の衛生マスクＡの機能に就いて説明する。
　言う迄もなく、衛生マスクに求められる機能は、身体に有害な粉塵乃至はウイルス等の微粒物体が、呼気と共に体内に吸い込まれるのを、自由な呼吸を妨げない状態で最大限に防ぐことである。
【００２１】
　その為の、第１の対策は、マスク本体１の材質と構造の吟味であり、第２の対策は、顔面へのマスク本体の密着性を、なるべく装着感が悪くならない様に配慮しながら、極力高めることである。　　
【００２２】
　本考案による衛生マスクＡは、上記第２の対策の強化を目指して成されたものである。
　即ち、衛生マスクＡを着用すると、図２に示した様に、マスク本体１の左右の側端辺１ａ，１ａが耳の 直ぐ近くに迄達する。
　その為、顔の頬の辺りから耳にかけての湾曲した顔面に、マスク本体１の左右両側の各後半部分が、自づから密着した状態になる。
【００２３】
　然し、側端辺１ａの部分は、耳掛紐２を引っ張りながら耳に掛けることによって、丁度、“巾着”の口の括り紐を引っ張った時の様に“襞”が出来てしまう。
　その為、側端辺１ａの個所では、顔面への密着性が損なわれることになるが、この側端辺１ａの近傍を除けば、上述の様に、マスク本体１は顔に密着されているので、マスク本体１に必要な気密保持性が損なわれることは無い。
【００２４】
　そして、図２に示した様に、耳掛紐２を、側端辺１ａの上下両端に２点支持状態で連結させている衛生マスクＡは、図５に示した様に、耳掛紐６２を、１点支持状態でマスク本体６１の尖った側端に取付けている在来の衛生マスクＢ２に比べて、マスク本体を位置決めし、顔に圧接させるという、耳掛紐に求められる機能をより良く果たしてくれる。
【００２５】
　又、衛生マスクＡを両耳に掛けた後、マスク本体１の上縁中央部を、鼻の膨出形状に沿わせる様にして指先等で押圧すると、この部分に取付けてある、塑性変形性を有する帯板状の形状保持部材４が、膨出形状に忠実に倣って屈曲されるので、この部分の気密性も十分に確保される。
【図面の簡単な説明】
【００２６】
【図１】本考案の一実施例を示すもので、展開状態の衛生マスクをその内側から見た斜視図である。
【図２】同上、使用状態を示す側面図である。
【図３】従来例を示すもので、図１相当図である。
【図４】同上、図２相当図である。
【図５】別の従来例を示すもので、図２相当図である。
【符号の説明】
【００２７】
　Ａ　衛生マスク
　１　マスク本体
　１ａ　側端辺
　２　耳掛紐
　３　紐通し部
　４　形状保持部材
　５　カバー片
　Ｌ　マスク本体の横幅寸法
　Ｂ１，Ｂ２　従来の衛生マスク
５１，６１　マスク本体
５１ａ　側端辺
５２，６２　耳掛紐
５３　紐通し部
５４　摘み個所
【図１】
0003100600.tif 000003
【図２】
0003100600.tif 000004
【図３】
0003100600.tif 000005
【図４】
0003100600.tif 000006
【図５】
0003100600.tif 000007